(57)【特許請求の範囲】
【請求項１】
ネットワークカメラとＬＡＮ接続すると共に、外部ネットワークとの通信インタフェースを司るルータ機能を備えたＩＰ端末装置であって、
前記外部ネットワークを通じて相手先端末装置との通話を確立する呼制御手段と、
前記ネットワークカメラにて撮像した映像をモニタするための接続ポートを開閉制御するポート制御手段と、
前記ネットワークカメラの電源投入時に前記ネットワークカメラから受信したポート番号の情報を登録するカメラ登録手段とを有し、
前記ポート制御手段は、
前記相手先端末装置からのみ、前記接続ポートへのアクセスを許可する認証手段を有し、
前記ポート制御手段は、
前記呼制御手段による前記相手先端末装置との通話確立から通話終了までの間に、前記接続ポートを閉塞状態から開放状態への開閉制御を可能とし、前記相手先端末装置との通話が確立されたときに、前記認証手段により前記アクセスが許可されると、前記カメラ登録手段により登録されたポート番号に相当する前記接続ポートを閉塞状態から開放状態に開閉制御することを特徴とするＩＰ端末装置。
【請求項２】
前記カメラ登録手段は、前記ネットワークカメラから受信したポート番号が、割り当てできない場合には、前記受信したポート番号とは異なる別のポート番号を割り当てて前記ネットワークカメラに送信するとともに、前記別のポート番号を登録することを特徴とする請求項１に記載のＩＰ端末装置。
【請求項３】
前記呼制御手段は、前記カメラ登録手段により登録されたポート番号の情報を前記相手先端末装置へ送信することを特徴とする請求項２に記載のＩＰ端末装置。
【請求項４】
ネットワークカメラとＬＡＮ接続すると共に、外部ネットワークとの通信インタフェースを司るルータ機能を備えたＩＰ端末装置の映像モニタ方法であって、
前記外部ネットワークを通じて相手先端末装置との通話を確立する呼制御ステップと、
前記ネットワークカメラにて撮像した映像をモニタするための接続ポートを開閉制御するポート制御ステップと、
前記ネットワークカメラの電源投入時に前記ネットワークカメラから受信したポート番号の情報を登録するカメラ登録ステップとを有し、
前記ポート制御ステップは、
前記相手先端末装置からのみ、前記接続ポートへのアクセスを許可する認証ステップを有し、
前記ポート制御ステップは、
前記呼制御ステップによる前記相手先端末装置との通話確立から通話終了までの間に、前記接続ポートを閉塞状態から開放状態への開閉制御を可能とし、前記相手先端末装置との通話が確立されたときに、前記認証ステップにより前記アクセスが許可されると、前記カメラ登録ステップにより登録されたポート番号に相当する前記接続ポートを閉塞状態から開放状態に開閉制御することを特徴とするＩＰ端末装置の映像モニタ方法。
【請求項５】
ネットワークカメラとＬＡＮ接続すると共に、外部ネットワークとの通信インタフェースを司るルータ機能を備えたＩＰ端末装置であって、
前記外部ネットワークを通じて相手先端末装置との通話を確立する呼制御手段と、
前記ネットワークカメラの電源投入時に前記ネットワークカメラから受信したポート番号の情報を登録するカメラ登録手段と、を有し、
前記呼制御手段による前記相手先端末装置との通話が確立したら、前記カメラ登録手段が登録した前記ポート番号の情報に基づいて前記ネットワークカメラにて撮像した映像をモニタするための接続ポートを開放し、前記開放した接続ポートを通して前記相手先端末装置のみが前記ネットワークカメラへ接続できる、
ことを特徴とするＩＰ端末装置。
【発明の詳細な説明】
【技術分野】
【０００１】
本発明は、ネットワークカメラとＬＡＮ接続し、同ネットワークカメラにて撮像した映像をモニタ可能にしたＳＩＰ電話機等のＩＰ端末装置及びＩＰ端末装置の映像モニタ方法に関する。
【背景技術】
【０００２】
近年、ネットワークカメラの普及に伴って、宅外からインターネット経由で宅内ＬＡＮに接続されたネットワークカメラの映像をモニタすることができるシステムが広く知られている（例えば特許文献１参照）。
【０００３】
この特許文献１のシステムによれば、インターネット経由で、複数のパソコンからネットワークカメラを接続したカメラサーバにアクセスし、各パソコンでネットワークカメラにて撮像した映像を共同でモニタすることができるものである。
【０００４】
しかしながら、特許文献１のシステムによれば、ネットワークカメラが宅内ＬＡＮに接続したネットワークカメラの場合、インターネット経由で外部のパソコンから同ネットワークカメラへアクセスする際、宅内ＬＡＮのルータの外部アクセスポートを常時開放状態にしておく必要があるため、セキュリティ上の問題があった。
【０００５】
そこで、このようなセキュリティ上の問題を解決すべく、外部から宅内のネットワークカメラへアクセスするためにパスワードを予め設定しておき、外部、例えば警備会社等の第三者に対して同ネットワークカメラへのアクセスを許可する場合、パスワードを一時的に変更し、この変更したパスワードを第三者に通知するシステムが広く知られている（例えば特許文献２参照）。
【０００６】
この特許文献２のシステムによれば、第三者に対して同ネットワークカメラへのアクセスを許可する場合、同アクセスを許可するパスワードを一時的に変更し、この変更したパスワードを第三者に通知し、第三者が同パスワードを使用してネットワークカメラへアクセスしてネットワークカメラの映像を取得し、このネットワークカメラの映像取得後は元のパスワードに戻すようにしたので、先に取得したパスワードを使用して第三者によるネットワークカメラへの不正アクセスを防止することができる。
【０００７】
また、近年では、地域の防犯対策として、このようなネットワークカメラを使用し、例えば近隣の知人のパソコンから同ネットワークカメラで撮像した映像を閲覧できる防犯システムが広く普及されつつある。
【先行技術文献】
【特許文献】
【０００８】
【特許文献１】特開２００３−２５６９４７号公報（要約書及び図１参照）
【特許文献２】特開２００３−１３４５０１号公報（要約書及び図１参照）
【発明の概要】
【発明が解決しようとする課題】
【０００９】
しかしながら、上記特許文献２のシステムによれば、例えば宅内ＬＡＮ内のネットワークカメラへ第三者による不正アクセスを防止するために、同ネットワークカメラへのアクセスを許可するパスワードを一時的に変更して第三者に通知すると共に、第三者が同パスワードを使用してネットワークカメラへアクセスして映像を取得し、このネットワークカメラの映像取得後は元のパスワードに戻すことで、先に取得したパスワードを使用した第三者による不正アクセスを防止するようにしたが、第三者によるネットワークカメラへのアクセスを許可する度に、同アクセスを許可するパスワードを変更し、映像取得後、同パスワードを元に戻すといった複雑な処理負担を要する。
【００１０】
また、このようなネットワークカメラを使用した防犯システムとしては、ネットワークカメラで撮像した映像を近隣の知人にリアルタイムに見せたい場合、電話で近隣の知人に連絡し、同ネットワークカメラのアドレス情報を口頭で伝達し、パソコンを使用して、同アドレス情報に基づき同ネットワークカメラへアクセスして同ネットワークカメラの映像を閲覧できるようにしたが、ネットワークカメラの映像を取得するまでには多大な時間を要する。
【００１１】
本発明は上記点に鑑みてなされたものであり、その目的とするところは、相手先端末装置との通話中に、第三者による不正アクセスを確実に防止しながら、複雑な処理を要することなく、簡単にネットワークカメラの映像を相手先端末装置側でモニタすることが可能となるＩＰ端末装置及びＩＰ端末装置の映像モニタ方法を提供することにある。
【課題を解決するための手段】
【００１２】
上記目的を達成するために本発明のＩＰ端末装置は、ネットワークカメラとＬＡＮ接続すると共に、外部ネットワークとの通信インタフェースを司るルータ機能を備えたＩＰ端末装置であって、前記外部ネットワークを通じて相手先端末装置との通話を確立する呼制御手段と、前記ネットワークカメラにて撮像した映像をモニタするための接続ポートを開閉制御するポート制御手段と、前記ネットワークカメラの電源投入時に前記ネットワークカメラから受信したポート番号の情報を登録するカメラ登録手段とを有し、前記ポート制御手段は、前記相手先端末装置からのみ、前記接続ポートへのアクセスを許可する認証手段を有し、前記ポート制御手段は、前記呼制御手段による前記相手先端末装置との通話確立から通話終了までの間に、前記接続ポートを閉塞状態から開放状態への開閉制御を可能とし、前記相手先端末装置との通話が確立されたときに、前記認証手段により前記アクセスが許可されると、前記カメラ登録手段により登録されたポート番号に相当する前記接続ポートを閉塞状態から開放状態に開閉制御するようにした。
【００１３】
また、上記目的を達成するために本発明のＩＰ端末装置の映像モニタ方法は、ネットワークカメラとＬＡＮ接続すると共に、外部ネットワークとの通信インタフェースを司るルータ機能を備えたＩＰ端末装置の映像モニタ方法であって、前記外部ネットワークを通じて相手先端末装置との通話を確立する呼制御ステップと、前記ネットワークカメラにて撮像した映像をモニタするための接続ポートを開閉制御するポート制御ステップと、前記ネットワークカメラの電源投入時に前記ネットワークカメラから受信したポート番号の情報を登録するカメラ登録ステップとを有し、前記ポート制御ステップは、前記相手先端末装置からのみ、前記接続ポートへのアクセスを許可する認証ステップを有し、前記ポート制御ステップは、前記呼制御ステップによる前記相手先端末装置との通話確立から通話終了までの間に、前記接続ポートを閉塞状態から開放状態への開閉制御を可能とし、前記相手先端末装置との通話が確立されたときに、前記認証ステップにより前記アクセスが許可されると、前記カメラ登録ステップにより登録されたポート番号に相当する前記接続ポートを閉塞状態から開放状態に開閉制御するようにした。
【発明の効果】
【００１４】
上記のように構成された本発明のＩＰ端末装置によれば、相手先端末装置との通話確立から通話終了までの間に限定して、接続ポートを閉塞状態から開放状態への開閉制御を可能とし、所定のトリガにより接続ポートが開放状態になると、相手先端末装置が開放状態の接続ポートを通じてネットワークカメラにて撮像した映像をモニタ可能にしたので、例えばネットワークカメラへのアクセスを許可する前提となる接続ポートを開放する条件を通話中の通話相手先に限定することで第三者によるネットワークカメラへの不正アクセスを確実に防止すると共に、複雑な処理を要することなく、簡単にネットワークカメラの映像を相手先端末装置側でモニタすることが可能となる。
【００１５】
また、上記のように構成された本発明のＩＰ端末装置の映像モニタ方法によれば、相手先端末装置との通話を確立すると、ネットワークカメラにて撮像した映像をモニタするための接続ポートを開放可能とし、相手先端末装置との通話を切断すると、前記接続ポートを閉塞するようにしたので、例えばネットワークカメラへのアクセスを許可する前提となる接続ポートを開放する条件を通話中の通話相手先に限定することで第三者によるネットワークカメラへの不正アクセスを確実に防止すると共に、複雑な処理を要することなく、簡単にネットワークカメラの映像を相手先端末装置側でモニタすることが可能となる。
【図面の簡単な説明】
【００１６】
【図１】本発明のＩＰ端末装置に関わる実施の形態を示す映像モニタシステム内部の概略構成を示すブロック図
【図２】本実施の形態に関わるＳＩＰ電話機内部の概略構成を示すブロック図
【図３】本実施の形態におけるカメラ登録処理に関わる映像モニタシステム内部の処理動作を示す動作シーケンス図
【図４】本実施の形態におけるモニタ時の映像モニタ処理に関わる映像モニタシステムの処理動作を示す動作シーケンス図
【図５】本実施の形態におけるリモートモニタ時の映像モニタ処理に関わる映像モニタシステムの処理動作を示す動作シーケンス図
【発明を実施するための形態】
【００１７】
本発明の実施の形態に係るＩＰ端末装置は、ネットワークカメラとＬＡＮ接続すると共に、外部ネットワークとの通信インタフェースを司るルータ機能を備えたＩＰ端末装置であって、前記外部ネットワークを通じて相手先端末装置との通話を確立する呼制御手段と、前記ネットワークカメラにて撮像した映像をモニタするための接続ポートを開閉制御するポート制御手段とを有し、前記ポート制御手段は、前記呼制御手段による前記相手先端末装置との通話確立から通話終了までの間に限定して、前記接続ポートを閉塞状態から開放状態への開閉制御を可能とするようにした。
【００１８】
従って、本発明の実施の形態に係るＩＰ端末装置によれば、前記相手先端末装置との通話確立から通話終了までの間に限定して、前記接続ポートを閉塞状態から開放状態への開閉制御を可能とし、前記相手先端末装置が開放状態の接続ポートを通じてネットワークカメラにて撮像した映像をモニタ可能にしたので、例えばネットワークカメラへのアクセスを許可する前提となる接続ポートを開放する条件を通話中の通話相手先に限定することで第三者によるネットワークカメラへの不正アクセスを確実に防止すると共に、複雑な処理を要することなく、簡単にネットワークカメラの映像を相手先端末装置側でモニタすることが可能となる。
【００１９】
また、本発明の実施の形態に係るＩＰ端末装置は、上記構成において、前記ポート制御手段は、前記呼制御手段により前記相手先端末装置との通話が確立されると、前記接続ポートを閉塞状態から開放状態に開閉制御するようにした。
【００２０】
従って、本発明の実施の形態に係るＩＰ端末装置によれば、上記効果に加えて、前記相手先端末装置との通話が確立されると、前記接続ポートを閉塞状態から開放状態に開閉制御するようにしたので、複雑な処理を要することなく、簡単にネットワークカメラの映像を相手先端末装置側でモニタすることが可能となる。
【００２１】
また、本発明の実施の形態に係るＩＰ端末装置は、上記構成において、前記相手先端末装置に対して、前記ネットワークカメラにて撮像した映像のモニタを許可するモニタ許可手段を有し、前記ポート制御手段は、前記相手先端末装置との前記通話確立から前記通話終了までの間に、前記モニタ許可手段にて前記モニタを許可すると、前記接続ポートを前記閉塞状態から前記開放状態に開閉制御し、前記ネットワークカメラにて撮像した映像を前記相手先端末装置側でモニタ可能にした。
【００２２】
従って、本発明の実施の形態に係るＩＰ端末装置によれば、上記効果に加えて、前記相手先端末装置との前記通話確立から前記通話終了までの間に、前記モニタ許可手段にて前記モニタを許可すると、前記接続ポートを前記閉塞状態から前記開放状態に開閉制御し、前記ネットワークカメラにて撮像した映像を前記相手先端末装置側でモニタ可能にしたので、複雑な処理を要することなく、簡単にネットワークカメラの映像を相手先端末装置側でモニタすることができると共に、モニタ許可手段を備えることで、通話相手によるネットワークカメラへの不正アクセスを確実に防止することでセキュリティの強化を図ることができる。
【００２３】
また、本発明の実施の形態に係るＩＰ端末装置は、上記構成において、前記ネットワークカメラにて撮像した映像を表示する映像表示手段と、所定信号に応じて、前記映像表示手段を起動する起動手段とを有するようにした。
【００２４】
従って、本発明の実施の形態に係るＩＰ端末装置によれば、上記効果に加えて、所定信号に応じて映像表示手段を起動するようにしたので、ＩＰ端末装置側のユーザは、前記映像表示手段を通じてネットワークカメラにて撮像した映像を確認することができる。 
【００２５】
また、本発明の実施の形態に係るＩＰ端末装置は、上記構成において、前記ポート制御手段は、前記相手先端末装置からのみ、前記接続ポートへのアクセスを許可する認証手段を有するようにした。
【００２６】
従って、本発明の実施の形態に係るＩＰ端末装置によれば、上記効果に加えて、前記相手先端末装置からのみ、前記接続ポートへのアクセスを許可する認証手段を前記ポート制御手段に設けるようにしたので、第三者によるネットワークカメラへの不正アクセスを確実に防止することができる。
【００２７】
また、本発明の実施の形態に係るＩＰ端末装置の映像モニタ方法は、ネットワークカメラとＬＡＮ接続すると共に、外部ネットワークとの通信インタフェースを司るルータ機能を備えたＩＰ端末装置の映像モニタ方法であって、前記外部ネットワークを通じて相手先端末装置との通話を確立する呼制御ステップと、この呼制御ステップにて前記相手先端末装置との通話を確立すると、前記ネットワークカメラにて撮像した映像をモニタするための接続ポートを開放可能とし、前記相手先端末装置との通話を切断すると、前記接続ポートを閉塞するポート制御ステップとを有するようにした。
【００２８】
従って、本発明の実施の形態に係るＩＰ端末装置の映像モニタ方法によれば、前記相手先端末装置との通話を確立すると、前記ネットワークカメラにて撮像した映像をモニタするための接続ポートを開放可能とし、前記相手先端末装置との通話を切断すると、前記接続ポートを閉塞するようにしたので、例えばネットワークカメラへのアクセスを許可する前提となる接続ポートを開放する条件を通話中の通話相手先に限定することで第三者によるネットワークカメラへの不正アクセスを確実に防止すると共に、複雑な処理を要することなく、簡単にネットワークカメラの映像を相手先端末装置側でモニタすることが可能となる。
【００２９】
（実施の形態）
以下、図面に基づいて本発明の実施の形態のＩＰ端末装置に関わる映像モニタシステムについて説明する。図１は本実施の形態を示す映像モニタシステム内部の概略構成を示すブロック図である。
【００３０】
図１に示す映像モニタシステム１は、宅内ＬＡＮ２Ａと、相手先宅内ＬＡＮ２Ｂと、これら宅内ＬＡＮ２Ａ，２Ｂ同士を通信接続する、例えばインターネット等のＷＡＮ３とを有し、宅内ＬＡＮ２Ａは、例えば庭先に配置し、不審者等の被写体を撮像して映像を出力するネットワークカメラ４Ａと、このネットワークカメラ４ＡとＬＡＮ接続すると共に、ＷＡＮ３との通信インタフェースを司るルータ機能を備えたＳＩＰ電話機５Ａとを有している。
【００３１】
また、相手先宅内ＬＡＮ２Ｂは、同様に相手先ネットワークカメラ４Ｂと、この相手先ネットワークカメラ４ＢとＬＡＮ接続すると共に、ＷＡＮ３との通信インタフェースを司るルータ機能を備えた相手先ＳＩＰ電話機５Ｂとを有している。
【００３２】
また、ＷＡＮ３は、例えば宅内ＬＡＮ２Ａ内のＳＩＰ電話機５Ａ及び相手先宅内ＬＡＮ２Ｂ内の相手先ＳＩＰ電話機５ＢのグローバルＩＰアドレスを管理すると共に、ＳＩＰ電話機５Ａ及び相手先ＳＩＰ電話機５Ｂ間のＳＩＰ制御を司るＳＩＰサーバ６を有している。
【００３３】
図２は本実施の形態に関わるＳＩＰ電話機５Ａ内部の概略構成を示すブロック図である。尚、相手先ＳＩＰ電話機５Ｂの内部構成は、ＳＩＰ電話機５Ａの内部構成とほぼ同一の構成であることから同一符号を付すことで、その重複する構成及び動作の説明については省略する。
【００３４】
図２に示すＳＩＰ電話機５Ａは、ＷＡＮ３との通信インタフェースを司るＷＡＮインタフェース部１１と、宅内ＬＡＮ２Ａとの通信インタフェースを司るＬＡＮインタフェース部１２と、ダイヤル番号を入力するダイヤル部１３と、相手先との通話に使用するハンドセット等の音声入出力部１４と、様々な情報を表示する映像表示部１５と、ＷＡＮインタフェース部１１を通じてＳＩＰ呼制御を司るＳＩＰ呼制御部１６と、ＷＡＮインタフェース部１１を通じて相手先との音声通信を実行する音声通信部１７と、ＷＡＮインタフェース部１１又はＬＡＮインタフェース部１２を通じて映像通信を実行する映像通信部１８と、宅内ＬＡＮ２Ａ内のネットワークカメラ４Ａに関わるカメラ情報等を登録管理するカメラ登録部１９と、ＷＡＮインタフェース部１１を通じて宅内ＬＡＮ２Ａへのアクセスを許可又は禁止すべく、ＷＡＮ−ＬＡＮ間でｈｔｔｐプロトコルのパケットを転送する接続ポート２０を開閉制御するｈｔｔｐポートインタフェース部２１とを有している。
【００３５】
カメラ登録部１９は、宅内ＬＡＮ２Ａ内のネットワークカメラ４Ａの電源投入に伴うＩＰアドレス割当要求を受信すると、このＩＰアドレス割当要求に応じて、同ネットワークカメラ４Ａに割り当てるＩＰアドレスを取得するＤＨＣＰサーバ機能１９Ａを備え、このＤＨＣＰサーバ機能１９Ａにて同ネットワークカメラ４Ａに割り当てるＩＰアドレスを取得すると、このＩＰアドレス及び接続ポート２０のポート番号を含むＩＰアドレス割当通知をネットワークカメラ４Ａに通知するものである。
【００３６】
ネットワークカメラ４Ａでは、ＩＰアドレス割当要求に応じてＩＰアドレス割当通知を受信すると、このＩＰアドレス割当通知に含まれるＩＰアドレス及び接続ポート２０のポート番号を自己のカメラ情報として登録すると共に、自己のＩＰアドレス及びポート番号を含む登録要求をＳＩＰ電話機５Ａに送信するものである。
【００３７】
ＳＩＰ電話機５Ａ内のカメラ登録部１９は、ネットワークカメラ４Ａからの登録要求を、ＷＡＮインタフェース部１１を通じて受信すると、この登録要求に含まれるネットワークカメラ４ＡのＩＰアドレス及びポート番号をカメラ情報として登録管理するものである。
【００３８】
また、ＳＩＰ電話機５ＡのＳＩＰ呼制御部１６は、例えば相手先ＳＩＰ電話機５Ｂに対して発呼する場合、ＳＩＰサーバ６を通じて発呼（ＩＮＶＩＴＥ）を相手先ＳＩＰ電話機５Ｂに送信する際、カメラ登録部１９にて登録管理した同ネットワークカメラ４ＡのＩＰアドレス及びポート番号を発呼（ＩＮＶＩＴＥ）に含めて送信するものである。
【００３９】
また、相手先ＳＩＰ電話機５ＢのＳＩＰ呼制御部１６は、ＳＩＰ電話機５Ａから発呼（ＩＮＶＩＴＥ）を受信すると、同発呼（ＩＮＶＩＴＥ）に対する呼出中（ＲＩＮＧＩＮＧ）をＳＩＰサーバ６経由でＳＩＰ電話機５Ａに送信する際に、カメラ登録部１９にて登録管理した同相手先ネットワークカメラ４ＢのＩＰアドレス及びポート番号を呼出中（ＲＩＮＧＩＮＧ）に含めて送信するものである。
【００４０】
また、ＳＩＰ電話機５Ａは、宅内ＬＡＮ２Ａ内のネットワークカメラ４Ａの映像を映像表示部１５に映像表示するために、映像表示部１５を起動する映像モニタスイッチ２２と、通話相手先に同宅内ＬＡＮ２Ａ内のネットワークカメラ４Ａの映像の共有化を許可するための映像共有スイッチ２３と、通話相手先の相手先宅内ＬＡＮ２Ｂの相手先ネットワークカメラ４Ｂの映像をモニタ要求するリモート映像モニタスイッチ２４とを有している。
【００４１】
ＳＩＰ電話機５Ａ内部の映像通信部１８は、映像モニタスイッチ２２のＯＮ操作を検出すると、カメラ登録部１９に登録済みの同宅内ＬＡＮ２Ａのネットワークカメラ４Ａのカメラ情報に含まれるＩＰアドレス及びポート番号に基づき、同ネットワークカメラ４Ａと通信し、同ネットワークカメラ４Ａ側のパスワード認証が完了すると、同ネットワークカメラ４Ａにて撮像した映像をモニタ受信し、このモニタ受信した映像を映像表示部１５に表示するものである。
【００４２】
また、ＳＩＰ電話機５Ａ側のｈｔｔｐポートインタフェース部２１は、ＳＩＰ呼制御部１６による同ＳＩＰ電話機５Ａ及び相手先ＳＩＰ電話機５Ｂ間の通話中に、映像共有スイッチ２３のＯＮ操作を検出すると、相手先ＳＩＰ電話機５Ｂに対して、宅内ＬＡＮ２Ａ内のネットワークカメラ４Ａへの通信アクセス可能を許可すべく、接続ポート２０を閉塞状態から開放状態に制御するものである。
【００４３】
その結果、ネットワークカメラ４Ａは、ＳＩＰ電話機５Ａ側のｈｔｔｐポートインタフェース部２１に関わる開放状態の接続ポート２０を通じて相手先ＳＩＰ電話機５Ｂのモニタ要求を受信した場合、相手先ＳＩＰ電話機５Ｂをパスワード認証すると、同接続ポート２０を通じて同ネットワークカメラ４Ａにて撮像した映像を同相手先ＳＩＰ電話機５Ｂ側でモニタ可能である。
【００４４】
また、ＳＩＰ電話機５Ａ側の映像通信部１８は、相手先ＳＩＰ電話機５Ｂとの通話中で相手先ＳＩＰ電話機５Ｂ側のｈｔｔｐポートインタフェース部２１の接続ポート２０が開放状態の場合に、リモート映像モニタスイッチ２４のＯＮ操作を検出すると、相手先宅内ＬＡＮ２Ｂ内の相手先ネットワークカメラ４Ｂに対してモニタ要求を送信し、同相手先ネットワークカメラ４Ｂにて同ＳＩＰ電話機５Ａの認証が完了すると、同開放状態の接続ポート２１を通じて同相手先ネットワークカメラ４Ｂにて撮像した映像を受信し、この受信した映像を映像表示部１５にモニタ表示するものである。
【００４５】
尚、本実施の形態のＩＰ端末装置はＳＩＰ電話機５Ａ（相手先ＳＩＰ電話機５Ｂ）、ネットワークカメラはネットワークカメラ４Ａ（相手先ネットワークカメラ４Ｂ）、外部ネットワークはＷＡＮ３、ルータ機能はＷＡＮインタフェース部１１及びＬＡＮインタフェース部１２、呼制御手段はＳＩＰ呼制御部１６、相手先端末装置は相手先ＳＩＰ電話機５Ｂ（ＳＩＰ電話機５Ａ）、接続ポートは接続ポート２０、ポート制御手段はｈｔｔｐポートインタフェース部２１、映像表示手段は映像表示部１５、起動手段は映像モニタスイッチ２２、モニタ許可手段はｈｔｔｐポートインタフェース部２１及び映像共有スイッチ２３、認証手段はｈｔｔｐポートインタフェース部２１に相当するものである。
【００４６】
次に本実施の形態を示す映像モニタシステム１の動作について説明する。図３は映像モニタシステム１のカメラ登録処理に関わる処理動作を示す動作シーケンス図である。
【００４７】
図３に示すカメラ登録処理は、例えばネットワークカメラ４Ａの電源投入時に同ネットワークカメラ４ＡのＩＰアドレス及びポート番号をＳＩＰ電話機５Ａに登録すると共に、相手先ネットワークカメラ４Ｂの電源投入時に同相手先ネットワークカメラ４ＢのＩＰアドレス及びポート番号を相手先ＳＩＰ電話機５Ｂに登録する処理である。
【００４８】
図３に示すＳＩＰサーバ６は、ＳＩＰ電話機５Ａからの登録（Ｒｅｇｉｓｔｅｒ）を受信すると（ステップＳ１１）、応答（２００ＯＫ）を送信することで（ステップＳ１２）、ＳＩＰ電話機５Ａを登録管理することになる。
【００４９】
また、同様に、ＳＩＰサーバ６は、相手先ＳＩＰ電話機５Ａからの登録（Ｒｅｇｉｓｔｅｒ）を受信すると（ステップＳ１３）、応答（２００ＯＫ）を送信することで（ステップＳ１４）、相手先ＳＩＰ電話機５Ｂを登録管理することになる。
【００５０】
また、宅内ＬＡＮ２Ａ内のネットワークカメラ４Ａは、電源投入を検出すると（ステップＳ１５）、宅内ＬＡＮ２Ａ内のＳＩＰ電話機５Ａに対して、自己に割り当てられるＩＰアドレスを要求すべく、ＩＰアドレス割当要求を送信する（ステップＳ１６）。
【００５１】
ＳＩＰ電話機５Ａ側のカメラ登録部１９は、ＬＡＮインタフェース部１２を通じて、ネットワークカメラ４ＡからのＩＰアドレス割当要求を受信すると、ＤＨＣＰサーバ機能１９Ａを通じて同ネットワークカメラ４Ａに割り当てる、例えばＩＰアドレス“１９２．１６８．１．１０”を取得し、この取得したＩＰアドレスを含むＩＰアドレス割当通知を、ＬＡＮインタフェース部１２を通じてネットワークカメラ４Ａに送信する（ステップＳ１７）。
【００５２】
ネットワークカメラ４Ａは、ＳＩＰ電話機５ＡからのＩＰアドレス割当通知を受信すると、このＩＰアドレス割当通知に含まれるＩＰアドレス“１９２．１６８．１．１０”及び自己で選択したポート番号“ＰｏｒｔＡ”を自己のアドレス情報として登録し（ステップＳ１８）、これらの登録したアドレス情報を含む登録要求をＳＩＰ電話機５Ａに送信する（ステップＳ１９）。
【００５３】
ＳＩＰ電話機５Ａ側のカメラ登録部１９は、ＬＡＮインタフェース部１２を通じて登録要求を受信すると、登録要求に対する応答を示す登録確認（ＯＫ）を、ＬＡＮインタフェース部１２を通じてネットワークカメラ４Ａに送信する（ステップＳ２０）。但し、登録要求のあったポート番号が、割り当てできない場合には、別のポート番号を割り当てて、登録確認（ＯＫ）に付加して送信するものである。
【００５４】
さらに、ネットワークカメラ４Ａは、登録確認（ＯＫ）を受信すると、登録確認（ＯＫ）に対する応答を示す登録確認応答をＳＩＰ電話機５Ａに送信する（ステップＳ２１）。尚、ここで、ＳＩＰ電話機５Ａから登録確認（ＯＫ）によって、別のポート番号に割り当てがあった場合には、アドレス情報登録のポート番号を設定変更するものである。
【００５５】
ＳＩＰ電話機５Ａ側のカメラ登録部１９は、ＬＡＮインタフェース部１２を通じて登録確認応答を受信すると、ステップＳ１９にて受信した登録要求に含まれるネットワークカメラ４Ａ側のＩＰアドレス“１９２．１６８．１．１０”及びポート番号“ＰｏｒｔＡ”をカメラ情報として登録管理することになる（ステップＳ２２）。
【００５６】
また、同様に相手先宅内ＬＡＮ２Ｂ内の相手先ネットワークカメラ４Ｂは、電源投入を検出すると（ステップＳ２３）、相手先宅内ＬＡＮ２Ｂ内の相手先ＳＩＰ電話機５Ｂに対して、自己に割り当てられるＩＰアドレスを要求すべく、ＩＰアドレス割当要求を送信する（ステップＳ２４）。
【００５７】
相手先ＳＩＰ電話機５Ｂ側のカメラ登録部１９は、ＬＡＮインタフェース部１２を通じて、相手先ネットワークカメラ４ＢからのＩＰアドレス割当要求を受信すると、ＤＨＣＰサーバ機能１９Ａを通じて同相手先ネットワークカメラ４Ｂに割り当てる、例えばＩＰアドレス“１９２．１６８．２．１０”を取得し、この取得したＩＰアドレスを含むＩＰアドレス割当通知を、ＬＡＮインタフェース部１２を通じて相手先ネットワークカメラ４Ｂに送信する（ステップＳ２５）。
【００５８】
相手先ネットワークカメラ４Ｂは、相手先ＳＩＰ電話機５ＢからのＩＰアドレス割当通知を受信すると、このＩＰアドレス割当通知に含まれるＩＰアドレス“１９２．１６８．２．１０”及び自己で選択したポート番号“ＰｏｒｔＢ”を自己のアドレス情報として登録し（ステップＳ２６）、これらの登録したアドレス情報を含む登録要求を相手先ＳＩＰ電話機５Ｂに送信する（ステップＳ２７）。 
【００５９】
相手先ＳＩＰ電話機５Ｂ側のカメラ登録部１９は、ＬＡＮインタフェース部１２を通じて、登録要求を受信すると、登録要求に対する応答を示す登録確認（ＯＫ）を、ＬＡＮインタフェース部１２を通じて相手先ネットワークカメラ４Ｂに送信する（ステップＳ２８）。但し、登録要求のあったポート番号が、割り当てできない場合には、別のポート番号を割り当てて、登録確認（ＯＫ）に付加して送信するものである。
【００６０】
さらに、相手先ネットワークカメラ４Ｂは、登録確認（ＯＫ）を受信すると、登録確認（ＯＫ）に対する応答を示す登録確認応答を相手先ＳＩＰ電話機５Ｂに送信する（ステップＳ２９）。尚、ここで、ＳＩＰ電話機５Ｂから登録確認（ＯＫ）によって、別のポート番号に割り当てがあった場合には、アドレス情報登録のポート番号を設定変更するものである。
【００６１】
相手先ＳＩＰ電話機５Ｂ側のカメラ登録部１９は、ＬＡＮインタフェース部１２を通じて登録確認応答を受信すると、ステップＳ２７にて受信した登録要求に含まれる相手先ネットワークカメラ４Ｂ側のＩＰアドレス“１９２．１６８．２．１０”及びポート番号“ＰｏｒｔＢ”をカメラ情報として登録管理することになる（ステップＳ３０）。
【００６２】
図３に示すカメラ登録処理によれば、宅内ＬＡＮ２Ａ（相手先宅内ＬＡＮ２Ｂ）のネットワークカメラ４Ａ（相手先ネットワークカメラ４Ｂ）の電源投入に応じて同ネットワークカメラ４Ａ（相手先ネットワークカメラ４Ｂ）のＩＰアドレス及びポート番号をＳＩＰ電話機５Ａ（相手先ＳＩＰ電話機５Ｂ）側のカメラ登録部１９に登録管理するようにしたので、ＳＩＰ電話機５Ａ（相手先ＳＩＰ電話機５Ｂ）側ではネットワークカメラ４Ａ（相手先ネットワークカメラ４Ｂ）のカメラ情報を登録管理することができる。
【００６３】
次に、このようなカメラ登録処理でＳＩＰ電話機５Ａ及び相手先ＳＩＰ電話機５Ｂのカメラ登録部１９にてネットワークカメラ４Ａ（相手先ネットワークカメラ４Ｂ）のカメラ情報を登録管理した後、ＳＩＰ電話機５Ａから相手先ＳＩＰ電話機５Ｂへ発呼し、ＳＩＰ電話機５Ａ側でネットワークカメラ４Ａにて撮像した映像をモニタ表示するまでの処理動作、すなわちモニタ時の映像モニタ処理について説明する。図４はモニタ時の映像モニタ処理に関わる映像モニタシステム１の処理動作を示す動作シーケンス図である。
【００６４】
図４に示すＳＩＰ電話機５Ａ側のＳＩＰ呼制御部１６は、相手先ＳＩＰ電話機５Ｂへの発呼操作を検出すると（ステップＳ４１）、ＷＡＮインタフェース部１１を通じて、ＳＩＰサーバ６経由で発呼（ＩＮＶＩＴＥ）を相手先ＳＩＰ電話機５Ｂに送信する（ステップＳ４２）。尚、ＳＩＰ呼制御部１６は、相手先ＳＩＰ電話機５Ｂへの発呼操作を検出すると、カメラ登録部１９に登録中のネットワークカメラ４ＡのＩＰアドレス及びポート番号を含むカメラ情報を読み出し、この読み出したカメラ情報を含む発呼（ＩＮＶＩＴＥ）を送信するものである。
【００６５】
相手先ＳＩＰ電話機５Ｂ側のＳＩＰ呼制御部１６は、ＷＡＮインタフェース部１１を通じて、ＳＩＰ電話機５Ａからの発呼（ＩＮＶＩＴＥ）を受信すると、この発呼（ＩＮＶＩＴＥ）に含まれるネットワークカメラ４Ａ側のカメラ情報を抽出し、この抽出したネットワークカメラ４Ａ側のカメラ情報をカメラ登録部１９に登録管理する（ステップＳ４３）。
【００６６】
また、相手先ＳＩＰ電話機５Ｂ側のＳＩＰ呼制御部１６は、発呼（ＩＮＶＩＴＥ）を受信すると、ＷＡＮインタフェース部１１を通じてＳＩＰサーバ６経由で呼出中（ＲＩＮＧＩＮＧ）をＳＩＰ電話機５Ａに送信する（ステップＳ４４）。尚、ＳＩＰ呼制御部１６は、カメラ登録部１９に登録中の相手先ネットワークカメラ４ＢのＩＰアドレス及びポート番号を含むカメラ情報を読み出し、この読み出したカメラ情報を含む呼出中（ＲＩＮＧＩＮＧ）を送信するものである。
【００６７】
ＳＩＰ電話機５Ａ側のＳＩＰ呼制御部１６は、ＷＡＮインタフェース部１１を通じて、ＳＩＰ電話機５Ａからの呼出中（ＲＩＮＧＩＮＧ）を受信すると、この呼出中（ＲＩＮＧＩＮＧ）に含まれる相手先ネットワークカメラ４Ｂ側のカメラ情報を抽出し、この抽出した相手先ネットワークカメラ４Ｂ側のカメラ情報をカメラ登録部１９に登録管理する（ステップＳ４５）。この結果、ＳＩＰ電話機５Ａ及び相手先ＳＩＰ電話機５Ｂ双方でネットワークカメラ４Ａ及び相手先ネットワークカメラ４Ｂのカメラ情報を登録管理したことになる。
【００６８】
また、相手先ＳＩＰ電話機５Ｂは、応答操作を検出すると（ステップＳ４６）、ＷＡＮインタフェース部１１を通じて、ＳＩＰサーバ６経由で応答（２００ＯＫ）をＳＩＰ電話機５Ａに送信する（ステップＳ４７）。
【００６９】
ＳＩＰ電話機５Ａは、ＷＡＮインタフェース部１１を通じて相手先ＳＩＰ電話機５Ｂからの応答（２００ＯＫ）を受信すると、ＳＩＰサーバ６経由で応答確認（ＡＣＫ）を相手先ＳＩＰ電話機５Ｂに送信する（ステップＳ４８）。この結果、ＳＩＰ電話機５Ａ及び相手先ＳＩＰ電話機５Ｂは、ＳＩＰサーバ６経由で音声通話を確立したことになる（ステップＳ４９）。
【００７０】
ＳＩＰ電話機５Ａは、映像モニタスイッチ２２のＯＮ操作を検出すると（ステップＳ５０）、カメラ登録部１９に登録管理中のネットワークカメラ４Ａのカメラ情報に基づき、同ネットワークカメラ４Ａのモニタ接続を要求するモニタ要求（ＧＥＴ／ｉｎｄｅｘ．ｈｔｍｌ）を、ＬＡＮインタフェース部１２を通じてネットワークカメラ４Ａに送信する（ステップＳ５１）。
【００７１】
ネットワークカメラ４Ａは、モニタ要求（ＧＥＴ／ｉｎｄｅｘ．ｈｔｍｌ）を受信すると、パスワード要求（４０１Ｕｎａｕｔｈｏｒｉｚｅｄ）をＳＩＰ電話機５Ａに送信する（ステップＳ５２）。
【００７２】
ＳＩＰ電話機５Ａは、ＬＡＮインタフェース部１２を通じてパスワード要求（４０１Ｕｎａｕｔｈｏｒｉｚｅｄ）を受信すると、設定登録したパスワード（ＧＥＴ／ｉｎｄｅｘ．ｈｔｍｌ．Ａｕｔｈｏｒｉｚａｔｉｏｎ）をネットワークカメラ４Ａに送信する（ステップＳ５３）。
【００７３】
ネットワークカメラ４Ａは、ＳＩＰ電話機５Ａからのパスワードを受信すると、このパスワードを認証する認証処理を実行し（ステップＳ５４）、同認証処理にて同パスワードが認証されると、認証応答（２００ＯＫ）をＳＩＰ電話機５Ａに送信する（ステップＳ５５）。
【００７４】
ＳＩＰ電話機５Ａは、ＬＡＮインタフェース部１２を通じて認証応答（２００ＯＫ）を受信すると、ネットワークカメラ４Ａに対して映像を要求する映像要求（ＧＥＴ／Ｄａｔａ．ｈｔｍｌ）を送信する（ステップＳ５６）。
【００７５】
ネットワークカメラ４Ａは、映像要求（ＧＥＴ／Ｄａｔａ．ｈｔｍｌ）を受信すると、撮像した映像（２００ＯＫ）をＳＩＰ電話機５Ａに送信する（ステップＳ５７）。その結果、ＳＩＰ電話機５Ａは、ＬＡＮインタフェース部１２を通じてネットワークカメラ４Ａにて撮像した映像（２００ＯＫ）を受信すると、映像通信部１８を通じて映像表示部１５に同映像をモニタ表示することになる（ステップＳ５８）。 
【００７６】
図４に示す映像モニタ表示処理によれば、ＳＩＰ電話機５Ａ及び相手先ＳＩＰ電話機５Ｂ間の音声通話中に、ＳＩＰ電話機５Ａ側で映像モニタスイッチ２２のＯＮ操作を検出し、ネットワークカメラ４Ａ側でＳＩＰ電話機５Ａのパスワード認証が完了すると、同ネットワークカメラ４Ａにて撮像した映像をＳＩＰ電話機５Ａ側の映像表示部１５にモニタ表示するようにしたので、ＳＩＰ電話機５Ａ側のユーザは、ネットワークカメラ４Ａにて撮像した映像をモニタ表示することができる。
【００７７】
次にＳＩＰ電話機５Ａ及び相手先ＳＩＰ電話機５Ｂ間の音声通話中にネットワークカメラ４Ａにて撮像した映像を相手先ＳＩＰ電話機５Ｂ側の映像表示部１５でモニタ表示するための処理動作、すなわちリモートモニタ時の映像モニタ処理について説明する。図５はリモートモニタ時の映像モニタ処理に関わる映像モニタシステム１の処理動作を示す動作シーケンス図である。
【００７８】
図５に示す映像モニタ処理は、ＳＩＰ電話機５Ａ及び相手先ＳＩＰ電話機５Ｂ間の音声通話中に、同相手先ＳＩＰ電話機５Ａの映像表示部１５に、ＳＩＰ電話機５Ａ側のネットワークカメラ４Ａにて撮像した映像をモニタ表示するための処理である。
【００７９】
図５に示すＳＩＰ電話機５Ａは、相手先ＳＩＰ電話機５Ｂとの音声通話中に、映像共有スイッチ２３のＯＮ操作を検出すると（ステップＳ６１）、カメラ登録部１９に登録管理中のネットワークカメラ４Ａ側のカメラ情報に基づき、同ネットワークカメラ４ＡのＩＰアドレス及びポート番号を読み出し、ｈｔｔｐポートインタフェース部２１を通じて同ネットワークカメラ４Ａに使用するポート番号に相当する接続ポート２０を閉塞状態から開放状態に開閉制御する（ステップＳ６２）。そして、ＳＩＰ電話機５Ａ側のユーザは、音声通話中の相手先ＳＩＰ電話機５Ｂ側のユーザに対して映像共有スイッチ２３のＯＮ操作を口頭で伝えるものである。
【００８０】
相手先ＳＩＰ電話機５Ｂは、リモート映像モニタスイッチ２４のＯＮ操作を検出すると（ステップＳ６３）、カメラ登録部１９に登録中の相手先であるネットワークカメラ４Ａのカメラ情報に含む同ネットワークカメラ４ＡのＩＰアドレス及びポート番号に基づき、ＳＩＰ電話機５Ａ側の開放中の接続ポート２０を通じて、モニタ接続を要求するモニタ要求（ＧＥＴ／ｉｎｄｅｘ．ｈｔｍｌ）をネットワークカメラ４Ａに送信する（ステップＳ６４）。
【００８１】
ネットワークカメラ４Ａは、モニタ要求（ＧＥＴ／ｉｎｄｅｘ．ｈｔｍｌ）を受信すると、ＳＩＰ電話機５Ａ側の開放中の接続ポート２０を通じて、パスワードを要求するパスワード要求（４０１Ｕｎａｕｔｈｏｒｉｚｅｄ）を相手先ＳＩＰ電話機５Ｂに送信する（ステップＳ６５）。
【００８２】
相手先ＳＩＰ電話機５Ｂは、パスワード要求（４０１Ｕｎａｕｔｈｏｒｉｚｅｄ）を受信すると、パスワードを入力し（ステップＳ６６）、この入力パスワード（ＧＥＴ／ｉｎｄｅｘ．ｈｔｍｌ  Ａｕｔｈｏｒｉｚａｔｉｏｎ）をＳＩＰ電話機５Ａ側の開放中の接続ポート２０を通じて、入力パスワード（ＧＥＴ／ｉｎｄｅｘ．ｈｔｍｌ  Ａｕｔｈｏｒｉｚａｔｉｏｎ）をネットワークカメラ４Ａに送信する（ステップＳ６７）。
【００８３】
ネットワークカメラ４Ａは、相手先ＳＩＰ電話機５Ｂ側の入力パスワード（ＧＥＴ／ｉｎｄｅｘ．ｈｔｍｌ  Ａｕｔｈｏｒｉｚａｔｉｏｎ）を受信すると、同入力パスワードの認証及び同入力パスワードの発信元が相手先ＳＩＰ電話機５ＢのグローバルＩＰアドレスであることを認証する認証処理を実行し（ステップＳ６８）、同パスワードが認証されると、ＳＩＰ電話機５Ａ側の開放中の接続ポート２０を通じて、認証応答（２００ＯＫ）を相手先ＳＩＰ電話機５Ｂに送信する（ステップＳ６９）。
【００８４】
相手先ＳＩＰ電話機５Ｂは、認証応答（２００ＯＫ）を受信すると、ＳＩＰ電話機５Ａ側の開放中の接続ポート２０を通じて、映像要求（ＧＥＴ／Ｄａｔａ．ｈｔｍｌ）をネットワークカメラ４Ａに送信する（ステップＳ７０）。
【００８５】
ネットワークカメラ４Ａは、相手先ＳＩＰ電話機５Ｂからの映像要求（ＧＥＴ／Ｄａｔａ．ｈｔｍｌ）を受信すると、ＳＩＰ電話機５Ａ側の開放中の接続ポート２０を通じて、撮像した映像（２００ＯＫ）を相手先ＳＩＰ電話機５Ｂに送信する（ステップＳ７１）。
【００８６】
その結果、相手先ＳＩＰ電話機５Ｂは、ＷＡＮインタフェース部１１を通じてネットワークカメラ４Ａにて撮像した映像（２００ＯＫ）を受信すると、映像通信部１８を通じて映像表示部１５に同映像をモニタ表示することになる（ステップＳ７２）。相手先ＳＩＰ電話機５Ｂのユーザは、通話相手先のＳＩＰ電話機５Ａ側の宅内ＬＡＮ２Ａ内のネットワークカメラ４Ａにて撮像した映像をモニタすることができる。
【００８７】
さらに、ＳＩＰ電話機５Ａは、切断操作を検出すると（ステップＳ７３）、ＳＩＰ呼制御部１６を通じてＳＩＰサーバ６経由で切断（ＢＹＥ）を相手先ＳＩＰ電話機５Ｂに送信する（ステップＳ７４）。
【００８８】
そして、相手先ＳＩＰ電話機５Ｂは、切断（ＢＹＥ）を受信すると、切断操作に応じて（ステップＳ７５）、ＳＩＰ呼制御部１６を通じてＳＩＰサーバ６経由で切断応答（２００ＯＫ）をＳＩＰ電話機５Ａに送信する（ステップＳ７６）。
【００８９】
ＳＩＰ電話機５Ａは、切断応答（２００ＯＫ）を受信すると、ｈｔｔｐポートインタフェース２１を通じて同ネットワークカメラ４Ａに使用した開放中の接続ポート２０を開放状態から閉塞状態に開閉制御することで（ステップＳ７７）、この処理動作を終了する。この結果、ＳＩＰ電話機５Ａは、ｈｔｔｐポートインタフェース部２１の接続ポート２０を閉塞状態にすることで、宅内ＬＡＮ２Ａ内のネットワークカメラ４Ａに対する第三者の不正アクセスを確実に防止することができる。
【００９０】
図５に示すモニタ映像処理によれば、ＳＩＰ電話機５Ａ及び相手先ＳＩＰ電話機５Ｂ間の音声通話中に、ＳＩＰ電話機５Ａ側で映像共有スイッチ２３のＯＮ操作を検出すると、同ＳＩＰ電話機５Ａ側のｈｔｔｐポートインタフェース部２１を通じて同ネットワークカメラ４Ａへのアクセスを可能にするために接続ポート２０を開放状態にし、さらに、相手先ＳＩＰ電話機５Ｂ側でリモート映像モニタスイッチ２４のＯＮ操作を検出すると、相手先ＳＩＰ電話機５ＢからＳＩＰ電話機５Ａ側の開放中の接続ポート２０を通じてネットワークカメラ４Ａにアクセスし、同ネットワークカメラ４Ａ側で相手先ＳＩＰ電話機５Ｂのパスワード認証が終了すると、同ネットワークカメラ４Ａにて撮像した映像を、ＳＩＰ電話機５Ａ側の開放中の接続ポート２０を通じて相手先ＳＩＰ電話機５Ｂ側の映像表示部１５にモニタ表示するようにしたので、相手先ＳＩＰ電話機５Ｂ側のユーザは、通話相手先の宅内ＬＡＮ２Ａのネットワークカメラ４Ａにて撮像した映像をモニタすることができる。
【００９１】
尚、図５に示すモニタ映像処理においては、映像共有スイッチ２３のＯＮ操作に応じて接続ポート２０を開放状態にしたが、ステップＳ４９の音声通話確立時点で接続ポート２０を開放状態とするようにしても良く、この場合は、通話確立から通話終了まで開放状態となるため、複雑な処理を要することなく、簡単にネットワークカメラ４Ａの映像を相手先ＳＩＰ電話機５Ｂ側でモニタすることができる。
【００９２】
本実施の形態に関わるＳＩＰ電話機５Ａによれば、相手先ＳＩＰ電話機５Ｂとの通話確立から通話終了までの間に限定して、すなわち音声通話中に限定して、ネットワークカメラ４Ａにアクセスするための接続ポート２０を閉塞状態から開放状態への開閉制御を可能とし、相手先ＳＩＰ電話機５Ｂが開放状態の接続ポート２０を通じてネットワークカメラ４Ａからの映像をモニタ可能にしたので、ネットワークカメラ４Ａへのアクセスを許可する前提となる接続ポート２０を開放する条件を通話中の通話相手先に限定することで第三者によるネットワークカメラ４Ａへの不正アクセスを確実に防止すると共に、複雑な処理を要することなく、簡単にネットワークカメラ４Ａの映像を相手先ＳＩＰ電話機５Ｂ側でモニタすることが可能となる。
【００９３】
また、本実施の形態に関わるＳＩＰ電話機５Ａによれば、相手先ＳＩＰ電話機５Ｂとの通話確立から通話終了までの間、すなわち音声通話中に、モニタ映像スイッチ２２のＯＮ操作を検出して映像表示部１５を起動するようにしたので、ＳＩＰ電話機５Ａ側のユーザは、接続ポート２０を開放状態にする前に、映像表示部１５を通じてネットワークカメラ４Ａにて撮像した映像を確認することができる。
【００９４】
また、本実施の形態に関わるＳＩＰ電話機５Ａによれば、相手先ＳＩＰ電話機５Ｂとの通話確立から通話終了までの間、すなわち音声通話中に、映像共有スイッチ２３のＯＮ操作後、相手先ＳＩＰ電話機５Ｂ側のリモート映像スイッチ２４のＯＮ操作に応じてネットワークカメラ４Ａ側のパスワード認証が終了すると、開放状態の接続ポート２０を通じて、ネットワークカメラ４Ａからの映像を相手先ＳＩＰ電話機５Ｂ側でモニタ可能にしたので、複雑な処理を要することなく、簡単にネットワークカメラ４Ａの映像を相手先ＳＩＰ電話機５Ｂ側でモニタすることができると共に、通話相手によるネットワークカメラ４Ａへの不正アクセスを確実に防止することでセキュリティの強化を図ることができる。
【００９５】
尚、上記実施の形態においては、ＩＰ端末装置として、ＷＡＮ３及び宅内ＬＡＮ２Ａ間の通信インタフェースを司るルータ機能を備えたＳＩＰ電話機５Ａを例に挙げ、同ＳＩＰ電話機５Ａに、ネットワークカメラ４Ａへのアクセスを可能にする接続ポート２０を開閉制御するポート制御機能としてｈｔｔｐポートインタフェース部２１を備えるようにしたが、例えば電話機を接続するルータ装置に同ポート制御機能を備え、このポート制御機能を備えたルータ装置をＩＰ端末装置としても良く、この場合でも、同様の効果が得られることは言うまでもない。
【産業上の利用可能性】
【００９６】
上記のように構成された本発明のＩＰ端末装置によれば、ネットワークカメラへのアクセスを許可する前提となる接続ポートを開放する条件を通話中の通話相手先に限定することで第三者によるネットワークカメラへの不正アクセスを確実に防止すると共に、複雑な処理を要することなく、簡単にネットワークカメラの映像を相手先端末装置側でモニタすることが可能となるため、例えばＷＡＮで接続する宅内ＬＡＮ間の映像モニタシステムに有用である。
【符号の説明】
【００９７】
３  ＷＡＮ（外部ネットワーク）
４Ａ  ネットワークカメラ
５Ａ  ＳＩＰ電話機（ＩＰ端末装置）
５Ｂ  相手先ＳＩＰ電話機（相手先端末装置）
１１  ＷＡＮインタフェース部（ルータ機能）
１２  ＬＡＮインタフェース部（ルータ機能）
１５  映像表示部（映像表示手段）
１６  ＳＩＰ呼制御部（呼制御手段）
２０  接続ポート
２１  ｈｔｔｐポートインタフェース部（ポート制御手段、モニタ許可手段、認証手段）
２２  映像モニタスイッチ（起動手段）
２３  映像共有スイッチ（モニタ許可手段）
【図１】
0005551754.tif 000002
【図２】
0005551754.tif 000003
【図３】
0005551754.tif 000004
【図４】
0005551754.tif 000005
【図５】
0005551754.tif 000006